(57)【要約】【課題】各システムを接続した通信回線が故障した場合に、パチンコ玉貸・計数装置で遊技者の持ち玉を払い出すことが出来ないという問題を解決したパチンコ玉貸・計数装置及びパチンコ玉管理システムを提供する。【解決手段】遊技客がパチンコ玉遊技機での遊技に必要なパチンコ玉を貸出す台間玉貸部Ｓと、遊技客がパチンコ玉遊技機での遊技により獲得したパチンコ玉を計数する玉計数部Ｒと、前記台間玉貸部Ｓと前記玉計数部Ｒとで相互に通信可能な通信手段７０と、を備え、前記台間玉貸部Ｓの払出指示信号と払出し数とを前記通信手段７０により前記玉計数部Ｒに送信し、受信した前記玉計数部Ｒは、持ち玉数を読み出し、演算して、払出可の情報を前記台間玉貸部Ｓに送信し、前記台間玉貸部Ｓは当該払出し数を払出すパチンコ玉貸・計数装置及びパチンコ玉管理システム。【選択図】図１
2009106652.tif 000002
【特許請求の範囲】
【請求項１】
パチンコ玉管理システムに用いられるパチンコ玉貸・計数装置であって、
遊技客がパチンコ玉遊技機での遊技に必要なパチンコ玉を貸し出す台間玉貸部と、
遊技客がパチンコ玉遊技機での遊技により獲得したパチンコ玉を計数する玉計数部と、
前記台間玉貸部と前記玉計数部とで相互に通信可能な通信手段と、
を備え、
前記台間玉貸部の払出指示信号と払出数とを前記通信手段により前記玉計数部に送信し、
受信した前記玉計数部は、記憶手段に記憶されている持ち玉数を読み出し、払出数と比較し、払出数が持ち玉数以下である場合は、払出可の情報を前記台間玉貸部に送信し、
前記台間玉貸部は当該払出数を払出すパチンコ玉貸・計数装置。
【請求項２】
前記玉計数部は、払出数が持ち玉数を超える場合は、当該持ち玉数を前記台間玉貸部に返信し、
前記台間玉貸部は、受信した持ち玉数のパチンコ玉数を払出す請求項１に記載のパチンコ玉貸・計数装置。
【請求項３】
パチンコ玉管理システムに用いられるパチンコ玉貸・計数装置であって、
遊技客がパチンコ玉遊技機での遊技に必要なパチンコ玉を貸し出す台間玉貸部と、
遊技客がパチンコ玉遊技機での遊技により獲得したパチンコ玉を計数する玉計数部と、
前記台間玉貸部と前記玉計数部とで相互に通信可能な通信手段と、
オフライン返却を始動させるオフライン返却始動手段と、
前記玉計数部には記憶されている持ち玉数を記憶する記憶手段と、
前記台間玉貸部のオフライン返却ボタンが操作された信号を前記通信手段を経由して前記玉計数部に送信し、当該玉計数部の記憶手段に記憶されている持ち玉数を読み出して前記台間玉貸部に送信するとともに当該玉計数部の記憶手段に記憶されている持ち玉数をクリアし、前記台間玉貸部は受信した持ち玉数を表示部に表示するか、又は外部記録媒体に記録するオフライン返却手段と、
を備えるパチンコ玉貸・計数装置。
【請求項４】
前記玉計数部の記憶手段には、払出応答情報をさらに記憶し、
パチンコ玉貸・計数装置が接続されている上位システムと通信可能になったことを検出し、当該払出応答情報を上位システムに送信する復旧手段と、
をさらに備える請求項２または３に記載のパチンコ玉貸・計数装置。
【請求項５】
パチンコ玉管理システムであって、
遊技客がパチンコ玉遊技機での遊技に必要なパチンコ玉を貸し出す台間玉貸機と、
遊技客がパチンコ玉遊技機での遊技により獲得したパチンコ玉を計数する玉計数器と、
前記台間玉貸機と前記玉計数器とで相互に通信可能な通信手段と、
を備え、
前記台間玉貸機の払出指示信号と払出数とを前記通信手段により前記玉計数器に送信し、
受信した前記玉計数器は、記憶手段に記憶されている持ち玉数を読み出し、払出数と比較し、払出数が持ち玉数以下である場合は、払出可の情報を前記台間玉貸機に送信し、
前記台間玉貸機は当該払出数を払出すことを特徴とするパチンコ玉管理システム。
【請求項６】
前記玉計数器は、払出数が持ち玉数を超える場合は、当該持ち玉数を前記台間玉貸機に返信し、
前記台間玉貸機は、受信した持ち玉数のパチンコ玉数を払出す請求項５に記載のパチンコ玉管理システム。
【請求項７】
パチンコ玉管理システムであって、
遊技客がパチンコ玉遊技機での遊技に必要なパチンコ玉を貸し出す台間玉貸機と、
遊技客がパチンコ玉遊技機での遊技により獲得したパチンコ玉を計数する玉計数器と、
前記台間玉貸機と前記玉計数器とで相互に通信可能な通信手段と、
オフライン返却を始動させるオフライン返却始動手段と、
前記玉計数器には記憶されている持ち玉数を記憶する記憶手段と、
前記台間玉貸機のオフライン返却ボタンが操作された信号を前記通信手段を経由して前記玉計数器に送信し、当該玉計数器の記憶手段に記憶されている持ち玉数を読み出して前記台間玉貸機に送信するとともに当該玉計数器の記憶手段に記憶されている持ち玉数をクリアし、前記台間玉貸機は受信した持ち玉数を表示部に表示するか、又は外部記録媒体に記録するオフライン返却手段と、
を備えるパチンコ玉管理システム。
【請求項８】
前記玉計数器の記憶手段には、払出応答情報をさらに記憶し、
パチンコ玉貸・計数装置が接続されている上位システムと通信可能になったことを検出し、当該払出応答情報を上位システムに送信する復旧手段と、
をさらに備える請求項６または７に記載のパチンコ玉管理システム。
【発明の詳細な説明】
【技術分野】
【０００１】
本発明は、パチンコ玉貸・計数装置及びパチンコ玉管理システムに関し、より詳しくは接続される上位の装置間で通信障害が発生した場合にも遊技客の遊技に支障のないパチンコ玉貸・計数装置及びパチンコ玉管理システムを提供する。
【背景技術】
【０００２】
従来より、パチンコホールにおいて、遊技客は、ホールまたは島毎に設置された玉貸機からパチンコ玉の貸出しを受けていた。また、遊技客が獲得したパチンコ玉は、パチンコゲーム機の位置で玉箱に貯留しておき、そのパチンコゲーム機におけるパチンコ遊技を終了すると貯留された玉箱を、ホール内の景品交換カウンタに設置された玉計数器まで持参し、従業員が集中して計数することが多かった。
【０００３】
しかし、これでは獲得したパチンコ玉を比較的長い距離運搬する必要があった。特に多量の獲得パチンコ玉がある場合には遊技客にとって大きな負担となるおそれがあった。このような負担を軽減するために、遊技客が獲得したパチンコ玉を計数する玉計数器をパチンコゲーム機に近接して設置する機器が開発されている（例えば、非特許文献１参照）。
【０００４】
また、遊技客が獲得したパチンコ玉を計数器で計数し持ち玉として会員の持ち玉として会員カードや専用のＩＣコインに記憶され、遊技者の操作に対応して払出すシステムが一般的に適用されている。払い出しに際しては、遊技店舗の運営上の制約から接続されている上位システムで各種の制約（例えば、遊技台の買単価に対応した持ち玉のみが払い出される）した運用がなされることが多い（例えば、特許文献１参照）。
【特許文献１】特開２００６−１４９５２６号公報
【非特許文献１】遊技通信「スタッフを玉運びから解放しサービス向上に労力を傾注」株式会社遊技通信社、２００７年８月２５日、ｐ．６６−６７
【発明の開示】
【発明が解決しようとする課題】
【０００５】
しかし、これらの提案を提供したパチンコ玉貸・計数装置及びパチンコ玉管理システムにおいても、何らかの理由で各システムを接続した通信回線が故障した場合に、遊技店舗の運営上の制約から接続されている上位システムで各種の制約した運用がなされていた場合に、パチンコ玉貸・計数装置で遊技者の持ち玉を払出すことができないという問題があった。
【０００６】
本発明は、これらの問題を解決し接続される上位の装置間で通信障害が発生した場合にも遊技客の遊技に支障のないパチンコ玉貸・計数装置及びパチンコ玉管理システムを提供することを目的とする。
【課題を解決するための手段】
【０００７】
本発明者らは、遊技に必要なパチンコ玉を貸し出す台間玉貸機（台間玉貸部）と遊技により獲得したパチンコ玉を計数する玉計数器（玉計数部）とを通信可能にすることの有用性を見出し、本発明を完成するに至った。
【０００８】
（１）  パチンコ玉管理システムに用いられるパチンコ玉貸・計数装置であって、遊技客がパチンコ玉遊技機での遊技に必要なパチンコ玉を貸し出す台間玉貸部と、遊技客がパチンコ玉遊技機での遊技により獲得したパチンコ玉を計数する計数部と、前記台間玉貸部と前記計数部とで相互に通信可能な通信手段と、を備え、前記台間玉貸部の払出指示信号と払出数とを前記通信手段により前記玉計数部に送信し、受信した前記玉計数部は、記憶手段に記憶されている持ち玉数を読み出し、払出数と比較し、払出数が持ち玉数以下である場合は、払出可の情報を前記台間玉貸部に送信し、前記台間玉貸部は当該払出数を払出すパチンコ玉貸・計数装置。
【０００９】
（１）に記載のパチンコ玉貸・計数装置の発明は、遊技客がパチンコ玉遊技機での遊技に必要なパチンコ玉を貸し出す台間玉貸部と、遊技客がパチンコ玉遊技機での遊技により獲得したパチンコ玉を計数する玉計数部と、台間玉貸部と玉計数部とで相互に通信可能な通信手段と、を備える。
【００１０】
台間玉貸部の払出指示信号と払出数とを通信手段により玉計数部に送信する。受信した玉計数部は、記憶手段に記憶されている持ち玉数を読み出す。そして、払出数と比較し、払出数が持ち玉数以下である場合は、払出可の情報を台間玉貸部に送信する。受信した台間玉貸部は、当該払出数を払出す。
【００１１】
このような構成にすることにより、パチンコ玉貸・計数装置が接続されている上位の通信に障害があった場合に、パチンコ玉貸・計数装置で遊技者の持ち玉を払出すことができないという問題を解決することができる。
【００１２】
（２）  前記玉計数部は、払出数が持ち玉数を超える場合は、当該持ち玉数を前記台間玉貸部に返信し、前記台間玉貸部は、受信した持ち玉数のパチンコ玉数を払出す（１）に記載のパチンコ玉貸・計数装置。
【００１３】
（２）に記載のパチンコ玉貸・計数装置の発明は、玉計数部が、払出数が持ち玉数を超える場合は、当該持ち玉数を台間玉貸部に返信する。台間玉貸部は、受信した持ち玉数のパチンコ玉数を払出す。
【００１４】
このような構成にすることにより、パチンコ玉貸・計数装置が接続されている上位の通信に障害があった場合に、払出数が持ち玉数を超える場合にも、パチンコ玉貸・計数装置で遊技者の持ち玉を払出すことができないという問題を解決することができる。
【００１５】
（３）  パチンコ玉管理システムに用いられるパチンコ玉貸・計数装置であって、遊技客がパチンコ玉遊技機での遊技に必要なパチンコ玉を貸し出す台間玉貸部と、遊技客がパチンコ玉遊技機での遊技により獲得したパチンコ玉を計数する玉計数部と、前記台間玉貸部と前記玉計数部とで相互に通信可能な通信手段と、オフライン返却を始動させるオフライン返却始動手段と、前記玉計数部には記憶されている持ち玉数を記憶する記憶手段と、前記台間玉貸部のオフライン返却ボタンが操作された信号を前記通信手段を経由して前記玉計数部に送信し、当該玉計数部の記憶手段に記憶されている持ち玉数を読み出して前記台間玉貸部に送信するとともに当該玉計数部の記憶手段に記憶されている持ち玉数をクリアし、前記台間玉貸部は受信した持ち玉数を表示部に表示するか、又は外部記録媒体に記録するオフライン返却手段と、を備えるパチンコ玉貸・計数装置。
【００１６】
（３）に記載のパチンコ玉貸・計数装置の発明は、特にパチンコ玉貸・計数装置が接続されている上位の通信に障害があった場合には、持ち玉は、上位システム側で持ち玉をコインや会員カードに対応付けて記憶されているため、遊技客が適切な処理をして帰れなくなってしまう。この問題を解決した発明である。ここで、オフライン返却とは、パチンコ玉貸・計数装置が上位システムとの通信に頼らないでパチンコ玉を返却することをいう。なお、上位システムと通信できる場合にパチンコ玉を返却してもよいし、通信できない場合に返却してもよい。
【００１７】
（３）に記載のパチンコ玉貸・計数装置の発明も、遊技客がパチンコ玉遊技機での遊技に必要なパチンコ玉を貸し出す台間玉貸部と、遊技客がパチンコ玉遊技機での遊技により獲得したパチンコ玉を計数する玉計数部と、前記台間玉貸部と前記玉計数部とで相互に通信可能な通信手段と、を備える。これに加えて、オフライン返却を始動させるオフライン返却始動手段と、前記玉計数部には記憶されている持ち玉数を記憶する記憶手段と、前記台間玉貸部のオフライン返却ボタンが操作された信号を前記通信手段により前記玉計数部に送信し、当該玉計数部の記憶手段に記憶されている持ち玉数をクリアするオフライン返却手段と、を備えるので、パチンコ玉貸・計数装置が接続されている上位の通信に障害があった場合にも、オフライン返却手段を用いることにより、持ち玉を表示部に表示して店員がメモするか、又は外部記録媒体に記録することができ、遊技客は、適切な処理をして帰ることができる。
【００１８】
ここで、オフライン返却手段は、持ち玉を表示部に表示することと外部記録媒体に記録することの両方の機能も持たせてもよい。また、表示された内容を印刷する手段を持たせることもできる。また、パチンコ玉貸・計数装置が接続されている上位の通信に障害があった場合にも、オフライン返却手段を用いることにより、遊技客の交代が可能である。
【００１９】
（４）  前記玉計数部の記憶手段には、払出応答情報をさらに記憶し、パチンコ玉貸・計数装置が接続されている上位システムと通信可能になったことを検出し、当該払出応答情報を上位システムに送信する復旧手段と、をさらに備える（２）または（３）に記載のパチンコ玉貸・計数装置。
【００２０】
（４）に記載の発明によるパチンコ玉貸・計数装置によれば、払出応答情報を上位システムに送信する復旧手段をさらに備える。その復旧手段により、パチンコ玉貸・計数装置が接続されている上位システムと通信可能になったことを検出し、通信ができなかった際の払出応答情報を上位システムに送信する。
【００２１】
（５）  パチンコ玉管理システムであって、遊技客がパチンコ玉遊技機での遊技に必要なパチンコ玉を貸し出す台間玉貸機と、遊技客がパチンコ玉遊技機での遊技により獲得したパチンコ玉を計数する玉計数器と、前記台間玉貸機と前記玉計数器とで相互に通信可能な通信手段と、を備え、前記台間玉貸機の払出指示信号と払出数とを前記通信手段により前記玉計数器に送信し、受信した前記玉計数器は、記憶手段に記憶されている持ち玉数を読み出し、払出数と比較し、払出数が持ち玉数以下である場合は、払出可の情報を前記台間玉貸機に送信し、前記台間玉貸機は当該払出数を払出すことを特徴とするパチンコ玉管理システム。
【００２２】
（６）  前記玉計数器は、払出数が持ち玉数を超える場合は、当該持ち玉数を前記台間玉貸機に返信し、前記台間玉貸機は、受信した持ち玉数のパチンコ玉数を払出す（５）に記載のパチンコ玉管理システム。
【００２３】
（７）  パチンコ玉管理システムであって、遊技客がパチンコ玉遊技機での遊技に必要なパチンコ玉を貸し出す台間玉貸機と、遊技客がパチンコ玉遊技機での遊技により獲得したパチンコ玉を計数する玉計数器と、前記台間玉貸機と前記玉計数器とで相互に通信可能な通信手段と、オフライン返却を始動させるオフライン返却始動手段と、前記玉計数器には記憶されている持ち玉数を記憶する記憶手段と、前記台間玉貸機のオフライン返却ボタンが操作された信号を前記通信手段を経由して前記玉計数器に送信し、当該玉計数器の記憶手段に記憶されている持ち玉数を読み出して前記台間玉貸機に送信するとともに当該玉計数器の記憶手段に記憶されている持ち玉数をクリアし、前記台間玉貸機は受信した持ち玉数を表示部に表示するか、又は外部記録媒体に記録するオフライン返却手段と、を備えるパチンコ玉管理システム。
【００２４】
（８）  前記玉計数器の記憶手段には、払出応答情報をさらに記憶し、パチンコ玉貸・計数装置が接続されている上位システムと通信可能になったことを検出し、当該払出応答情報を上位システムに送信する復旧手段と、をさらに備える（６）または（７）に記載のパチンコ玉管理システム。
【００２５】
（５）から（８）に記載の発明は、台間玉貸機と玉計数器が独立の装置となっている場合にも、適用できるものである。パチンコ玉台間玉貸機に使用される外部記録媒体は、磁気カード、ＩＣカード、非接触ＩＣカード、ＩＣコイン等各種の媒体が適用可能である。また、各種の装置が競って開発されている。また、パチンコ玉計数器についても、色々な用途に合わせた便利なものが開発されている。遊技店舗に最適な台間玉貸機と玉計数器とを選択してシステムを構成することが望ましい。このような場合に、（５）から（８）に記載の発明は、有効である。
【００２６】
具体的には、選択した台間玉貸機と玉計数器とを通信回線で相互に接続し、上記（１）から（４）で説明した手段と同様なものを備えることにより実現することができる。作用効果については、上記で説明した内容と同様であるので説明を省略する。
【発明の効果】
【００２７】
本発明によれば、何らかの理由で各システムを接続した通信回線が故障した場合に、パチンコ玉貸・計数装置又は本願発明のパチンコ玉管理システムで遊技者の持ち玉を払出すことができ、パチンコ玉貸・計数装置が接続されている上位システムが通信可能になった場合に、通信ができなかった場合に行われた特別処理の清算処理をすることもできる。また、オフライン返却手段を使用することにより、遊技者の持ち玉情報を表示部に表示するか、又は外部記憶媒体に記憶することができるので、何らかの理由で各システムを接続した通信回線が故障した場合にも遊技者は、適切な対応がされて、遊技店舗を出ることができる。
【発明を実施するための最良の形態】
【００２８】
以下、本発明を実施するための最良の形態について図を参照しながら説明する。なお、これはあくまでも一例であって、本発明の技術的範囲はこれに限られるものではない。
【００２９】
<第１の実施例>
図１は本発明に係るパチンコ台遊技機のパチンコ玉貸・計数装置の概略ブロック図であり、図２は、本発明に係るパチンコ玉貸・計数装置又はパチンコ玉管理システムが上位システムに接続された場合のブロック図である。図３は、パチンコ遊技玉の遊技時の変遷を示す図である。図４と図５は、通常使用時の払出指示がされた場合の、持ち玉の処理を表すシーケンス図である。図６は、通信回線が故障時の各機能の状態を示す図である。図７と図８は、本発明に係るパチンコ台遊技機のパチンコ玉貸・計数装置又はパチンコ玉管理システムが、通信回線が故障した場合の処理を表すシーケンス図である。図９は、本発明の効果を示す図である。
【００３０】
本発明に係るパチンコ台遊技機のパチンコ玉貸・計数装置１は、図１に示すように、パチンコ台遊技部Ｐの側方（通常は、隣接するパチンコ台遊技機の間）には台間玉貸部Ｓ（一般的に「サンド」等と呼ばれている）が設置されている。台間玉貸部Ｓの前面には、硬貨投入口、ＩＣカード挿入口、パチンコ玉をパチンコ台遊技機の上皿Ｐ２に供給する貸出ノズルＳ１、各種表示ランプ、各種表示器、各種操作ボタン等が設けられている。上皿Ｐ２は、パチンコ台遊技機Ｐに供給するパチンコ玉を一時的に貯留する皿である。
【００３１】
図１に示すように、台間玉貸部Ｓの下方には、パチンコ玉を計数する玉計数部Ｒが、台間玉貸部Ｓと一体的に設置されている。玉計数部Ｒの前面には、パチンコ玉貸・計数装置１における計数部連結部４が連結される玉受け部２が設けられている。
【００３２】
第１実施例のパチンコ玉貸・計数装置１は、図１に示すように、パチンコ台遊技機Ｐの下皿Ｐ１とカウンタＱの上面との間に配設される玉受け部２と、パチンコ台遊技機Ｐの側方に設置された玉計数部Ｒに連結される計数部連結部４と、下皿Ｐ１から落下して玉受け部２に受け取られたパチンコ玉を計数部連結部４に案内する玉案内部３と、パチンコ玉計数部Ｒには回収されるパチンコ玉を計数する玉計数ユニット（図示せず）とを備えている。
【００３３】
下皿Ｐ１は、パチンコ台遊技機Ｐから排出された当たり玉（出玉）を一時的に貯留する皿である。下皿Ｐ１は、その底面にシャッター（図示せず）を備えており、該シャッターを開放することにより、下皿Ｐ１に貯留されているパチンコ玉を、下皿Ｐ１の下方に配設された玉受け部２に落下させることができるようになっている。
【００３４】
また、台間玉貸部Ｓには、図１に示すように、紙幣挿入口１０、会員カード挿入口１２、表示部１４、ＩＣコイン投入口１６、貯玉払出ボタン１８、ＩＣコイン返却口２０が設けられている。
【００３５】
パチンコ玉貸・計数装置１は、図２のブロック図に示すように、台間玉貸部Ｓは、島中継器３５０と通信回線Ａで相互に接続されている。島中継器３５０は、遊技店舗の売り上げ管理を行う認証協会用サーバ３００と通信回線Ｂで相互に接続されている。認証協会用サーバ３００は施設管理システムのサーバ２００と通信回線Ｃにより相互に接続されている。
【００３６】
また、遊技客がパチンコ玉遊技機での遊技により獲得したパチンコ玉を計数する玉計数部Ｒと、玉計数部Ｒによる計数結果を通信回線Ｅを経由して受信し各遊技客の獲得した持ち玉を演算し、集計する持ち玉集中制御装置１５０と、持ち玉データと貯玉データを記憶し、記憶された持ち玉情報を認証協会用サーバ３００に通信回線Ｄを経由して送信する施設管理システムのサーバ２００とが接続されている。本願発明では、玉計数部Ｒと台間玉貸部Ｓとを通信手段７０で接続されている。
【００３７】
次にパチンコ遊技玉の遊技時の変遷を、図３に沿って説明をする。台間玉貸部Ｓに設けられた紙幣挿入口１０に金額を投入すると貸出ノズルＳ１より所定のパチンコ玉が貸し出される（Ｓ１２）。貸し出された遊技玉で遊技者はパチンコゲームを行う。遊技者が勝ち玉を獲得した場合は、玉計数部Ｒにより計数され台の持ち玉として持ち玉集中制御装置１５０に記憶される（Ｓ３０）。
【００３８】
台の持ち玉は、会員の口座数玉Ａ、玉Ｂ、・・・玉ｎとして別個に管理することができる。つまり会員毎に別々に管理することができる。また、口座毎に買単価、売単価を設定することで価値が違うパチンコ玉として扱うことができる。遊技台毎に使用する持ち玉の口座を設定することができる。
【００３９】
遊技者がカード会員である場合は、会員カードを会員カード挿入口１２に挿入し（Ｓ４２）、パチンコ遊技が終了してカード返却した場合は、会員カードに台の持ち玉が口座数玉Ａ、玉Ｂ、・・・玉ｎ毎に記憶される（Ｓ４０）。
【００４０】
遊技者がカード会員でない場合は、遊技者が一時的にパチンコ遊技を中断する場合は、返却ボタンを押すとパチンコ玉貸・計数装置にストックされているＩＣコインに台の持ち玉が口座数玉Ａ、玉Ｂ、・・・玉ｎ毎に記憶されて貸し出される（Ｓ５０）。
【００４１】
閉め処理で営業日付が変わると、会員カードに記憶されて持ち玉玉Ａ、玉Ｂ、・・・玉ｎは、会員の貯玉、玉Ａ、玉Ｂ、・・・玉ｎと移行して記憶される（Ｓ６０）。会員が別の日に同じ遊技店舗を訪れた場合に、会員カードを会員カード挿入口１２に挿入すると、貯玉の再プレイの場合には、会員カードに関連付けられた状態でパチンコ玉貸・計数装置からの指示により遊技玉が貸出ノズルＳ１より供給される（Ｓ７０）。
【００４２】
一方で、ＩＣコインに記憶された持ち玉は、その日のうちにその店舗内の景品交換所に提出して景品と交換する。閉め処理で営業日付が変わると無効となる（Ｓ６４）からである。また、台の持ち玉も閉め処理で営業日付が変わると無効となる（Ｓ６２）。
【００４３】
遊技者が持ち玉より払い出したい場合は、貯玉払出ボタン１８を押下すると、記憶された持ち玉が払い出される。この場合は、遊技台の買単価に応じた持ち玉のみが払い出される（Ｓ３２）。
【００４４】
具体的には、通常使用時の払出指示がされた場合の、持ち玉の処理を表すシーケンスを図４と図５に示す。図４は、払出指示された以上の持ち玉がある場合であり、図５は、払出指示されたが、持ち玉が０の場合である。
【００４５】
図４のように、払出指示された以上の持ち玉がある場合は、台間玉貸部Ｓの貯玉払出ボタン１８を押下すると、払出指示が台間玉貸部Ｓから玉計数部Ｒに送信される（Ｓ１１２）。玉計数部Ｒでは、持ち玉より払出指示の玉数の減算が行われ（Ｓ１１４）、払出応答がされる（Ｓ１１６）。払出応答を受信した台間玉貸部Ｓは、指示された個数の遊技玉が貸出ノズルＳ１より供給される。
【００４６】
図５のように、払出指示されたが、持ち玉が０で遊技者が会員である場合は、台間玉貸部Ｓの貯玉払出ボタン１８を押下すると、払出指示が台間玉貸部Ｓから玉計数部Ｒに送信される（Ｓ１１２）。玉計数部Ｒからは、払出応答（０玉）がされる（Ｓ１１５）。払出応答を受信した台間玉貸部Ｓは、貯玉／貯メダル引落し確認を施設管理システムサーバ２００に行う（Ｓ１１８）。施設管理システムサーバ２００にて貯玉引落しが行われる（Ｓ１１８）。施設管理システムサーバ２００から、払出応答が行われ（Ｓ１２０）、指示された個数の遊技玉が貸出ノズルＳ１より供給される。
【００４７】
以上は正常に接続されたシステムが動作していた場合である。しかし、接続されている機器間で障害が発生した場合は、図６に示すようにパチンコ玉の貸出し、払出しができなくなる。図６の故障個所ＡＢＣＤＥは図２で示した通信経路である。図６の中で、「○」をつけた部分はその処理ができることを示している。一方「×」をつけた部分は、その処理ができないことを示している。図６に示すように、ＡＢＣＤＥのどの通信回線に障害があっても持ち玉からの払出しができない。また、通信回線Ａ又は通信回線Ｂの通信回線が故障の場合は、現金からの貸出し、貯玉からの貸出しができない。さらに、通信回線Ｃが故障の場合は、貯玉からの貸出しもできない。
【００４８】
しかし、新しい通信手段７０を実現するとＡＢＣＤＥの通信回線に障害があっても、持ち玉からの払出しができるようになる。
【００４９】
図７に示すように、具体的には、台間玉貸部Ｓと玉計数部Ｒとで相互に通信可能な通信手段７０を有するので、台間玉貸部Ｓの貯玉払出ボタン１８が押下された払出指示の信号を通信手段７０により玉計数部Ｒに送信し（Ｓ１１２）、玉計数部Ｒは、持ち玉情報に基づき払い出し可能なパチンコ玉数を演算し（Ｓ１１４）、払出応答（玉数）を台間玉貸部Ｓに返信し（Ｓ１１６）、台間玉貸部Ｓが受信したパチンコ玉数を払出す。
【００５０】
通信回線が回復した後に、玉計数部Ｒは、払出情報の送信を施設管理システムサーバ２００に行う（Ｓ１３０）。払出情報を受信した施設管理システムサーバ２００は、払出履歴登録を行う（Ｓ１３２）。
【００５１】
また、図７に示すように、具体的には、台間玉貸部Ｓと玉計数部Ｒとで相互に通信可能な通信手段７０を有するので、台間玉貸部Ｓの貯玉払出ボタン１８が押下された払出指示の信号を通信手段７０により玉計数部Ｒに送信し（Ｓ１１２）、玉計数部Ｒは、持ち玉情報に基づき払い出し可能なパチンコ玉数を演算し（Ｓ１１４）、払出応答（玉数）を台間玉貸部Ｓに返信し（Ｓ１１６）、台間玉貸部Ｓが受信したパチンコ玉数を払出す。
【００５２】
通信回線が回復した後に、玉計数部Ｒは、払出情報の送信を施設管理システムサーバ２００に行う（Ｓ１３０）。払出情報を受信した施設管理システムサーバ２００は、払出履歴登録を行う（Ｓ１３２）。
【００５３】
また、図８に示すように、払出指示されたが、持ち玉が０で遊技者が会員である場合は、台間玉貸部Ｓの貯玉払出ボタン１８を押下すると、払出指示が台間玉貸部Ｓから玉計数部Ｒに送信される（Ｓ１１２）。玉計数部Ｒからは、払出可能数が応答される（Ｓ１４０）。払出応答を受信した台間玉貸部Ｓは、払出可能数な遊技玉を貸出ノズルＳ１より供給する。
【００５４】
通信回線が回復した後に、玉計数部Ｒは、払出情報の送信を施設管理システムサーバ２００に行う（Ｓ１４０）。払出情報を受信した施設管理システムサーバ２００は、払出履歴登録を行う（Ｓ１４２）。このようにして、ＡＢＣＤＥのどの通信回線に障害があっても図９に示すように、持ち玉からの払出しが少なくともできるようになる。
【００５５】
<第２の実施例>
第２の実施例は、特にパチンコ玉貸・計数装置が接続されている上位の通信に障害があった場合には、持ち玉は、上位システム側で持ち玉をコインや会員カードに対応付けて記憶されているため、遊技客が適切な処理をして帰れなくなってしまう。この問題を解決した実施例である。
【００５６】
図１０は、本発明に係るパチンコ台遊技機のパチンコ玉貸・計数装置１`の概略ブロック図であり、図１１は、本発明に係るパチンコ台遊技機のパチンコ玉貸・計数装置又はパチンコ玉管理システムが、通信回線が故障時のオフライン処理を表すシーケンス図である。
【００５７】
図１０に示すように、図１の第１の実施例に加えて、オフライン返却を始動させるオフライン返却始動手段４０と、玉計数部Ｒには記憶されている持ち玉数を記憶する記憶手段６０と、復旧手段８０と、オフライン返却手段５０と、をさらに有する。オフライン返却手段５０は、台間玉貸部Ｓのオフライン返却ボタンが操作された信号を通信手段７０を経由して玉計数部Ｒに送信し、当該玉計数部Ｒの記憶手段６０に記憶されている持ち玉数を読み出して台間玉貸部Ｓに送信するとともに玉計数部Ｒの記憶手段６０に記憶されている持ち玉数を０に置き換え、台間玉貸部Ｓは受信した持ち玉数を外部記録媒体に記録する。
【００５８】
このような構成のパチンコ玉貸・計数装置１のオフライン返却操作について、図１１を参照して以下説明をする。遊技店舗内の通信回線が故障した際や、上位システムが動作しなくなった場合は、遊技で獲得した持ち玉を会員カードやＩＣコインに返却できなくなってしまう。遊技客は、帰りたくとも獲得した持ち玉の処理ができない。
【００５９】
このような場合は、遊技店舗内の従業員がオフライン返却始動手段４０が始動するオフライン返却カードを会員カード挿入口１２に挿入する（Ｓ２１０）。オフライン返却カードが挿入されると、オフライン返却手段が始動して、始動ボタンが表示部１４に表示される（Ｓ２１２）。始動ボタンを従業員等が操作すると（Ｓ２１４）、オフライン返却指示が、台間玉貸部Ｓから通信手段７０を経由して玉計数部Ｒに送信される（Ｓ２２０）。
【００６０】
玉計数部Ｒでは、記憶手段６０に記憶されている持ち玉数を読み出す（Ｓ２２２）。読み出された持ち玉数は、玉計数部Ｒより、台間玉貸部Ｓに通信手段７０を介して返信される（Ｓ２２４）。また、玉計数部Ｒでは、記憶手段６０に記憶されている持ち玉数を０とする（Ｓ２２６）。返信を受けた台間玉貸部Ｓは、表示部に表示するか、又は外部記録媒体に持ち玉数を記録する（Ｓ２２８）。記録した後、オフライン終了表示を表示部１４に行う（Ｓ２３０）。
【００６１】
通信回線が回復した後に、玉計数部Ｒは、払出情報の送信を施設管理システムサーバ２００に行う（Ｓ２４０）。払出情報を受信した施設管理システムサーバ２００は、払出履歴登録を行う（Ｓ２４２）。
【００６２】
以上のようにして、遊技店舗内の通信回線が故障した際や、上位システムが動作しなくなった場合は、遊技で獲得した持ち玉を外部記録媒体である会員カードやＩＣコイン記録することができる。遊技客は、会員カードやＩＣコインに記録された持ち玉を景品に交換するなどして、帰ることができる。
【００６３】
以上の説明は、玉計数部と台間玉貸部により説明したが、玉計数器と台間玉貸機と独立の機器として接続しても第１の実施例及び第２の実施例として実現することができる。
【００６４】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。例えば、通信手段は、ＲＳ−２３２でもよいし、ＵＳＢでもよいし、無線通信でも、光通信であってもよい。また、外部記録媒体は、磁気カード、ＩＣコインで主に説明をしたが、ＩＣカード又は非接触ＩＣカードであってもよいし、メモリカード、であってもよい。
【図面の簡単な説明】
【００６５】
【図１】本発明に係るパチンコ台遊技機のパチンコ玉貸・計数装置の概略ブロック図である。
【図２】本発明に係るパチンコ玉貸・計数装置又はパチンコ玉管理システムが上位システムに接続された場合のブロック図である。
【図３】パチンコ遊技玉の遊技時の変遷を示す図である。
【図４】通常使用時の払出指示がされた場合の、持ち玉の処理を表すシーケンス図である。
【図５】通常使用時の払出指示がされた場合の、持ち玉の処理を表すシーケンス図である。
【図６】通信回線が故障時の各機能の状態を示す図である。
【図７】本発明に係るパチンコ台遊技機のパチンコ玉貸・計数装置又はパチンコ玉管理システムが、通信回線が故障時の処理を表すシーケンス図である。
【図８】本発明に係るパチンコ台遊技機のパチンコ玉貸・計数装置又はパチンコ玉管理システムが、通信回線が故障した場合の処理を表すシーケンス図である。
【図９】本発明の効果を示す図である。
【図１０】本発明に係るパチンコ台遊技機のパチンコ玉貸・計数装置１`の概略ブロック図である。
【図１１】本発明に係るパチンコ台遊技機のパチンコ玉貸・計数装置又はパチンコ玉管理システムが、通信回線が故障時のオフライン処理を表すシーケンス図である。
【符号の説明】
【００６６】
１  パチンコ玉貸・計数装置
Ａ  通信回線
Ｂ  通信回線
Ｃ  通信回線
Ｄ  通信回線
Ｅ  通信回線
Ｐ  パチンコ台遊技機
Ｒ  玉計数部
Ｓ  台間玉貸部
Ｓ１  貸出ノズル
１０  紙幣挿入口
１２  会員カード挿入口
１４  表示部
１６  ＩＣコイン投入口
１８  貯玉払出ボタン
２０  ＩＣコイン返却口
４０  オフライン返却始動手段
５０  オフライン返却手段
６０  記憶手段
７０  通信手段
８０  復旧手段
１５０  玉集中制御装置
２００  施設管理システムサーバ
３００  認証協会用サーバ
３５０  島中継器
【図１】
2009106652.tif 000003
【図２】
2009106652.tif 000004
【図３】
2009106652.tif 000005
【図４】
2009106652.tif 000006
【図５】
2009106652.tif 000007
【図６】
2009106652.tif 000008
【図７】
2009106652.tif 000009
【図８】
2009106652.tif 000010
【図９】
2009106652.tif 000011
【図１０】
2009106652.tif 000012
【図１１】
2009106652.tif 000013